(57)【要約】　　　（修正有）【課題】少液量活用で、従来液利用量分の成果を得る事が出来る液圧を利用した揚流落下液の増圧増量装置を提供する。【解決手段】揚液流落下噴射仕事が完了すると、同時進行で一次側Ａの調節管路６ｂから液圧が三方自動切替弁６ａ起動部内に満圧となり６ａが瞬時に切替り空気バネ６ｃの反発力と、中段源液槽４内液位から二次側Ｂの二次側容器９までの液圧と一次側Ａの容器６の連結棒Ｃ、１２の重力と最下段位置Ａａのサイホン流落下噴射管７のサイホン効果で下端最下段位置で流落下噴射仕事をし、ここで利用捨てであった液の活用捨てであるばかりか、上段から中段まで増圧揚液流落下噴射液の何％か増量することが出来る。【選択図】　図１
2004028075.tif 000002
【特許請求の範囲】
【請求項１】
流落下する液の増圧や増量などを、実施しようとする場所、位置、落差などに適応した高さの、複数の柱脚「１」の適切な上下間隔所定位置に、器機載設と軸組を兼ねた、上桁「２」下桁「３」で、柱脚「１」に組合せ立据設し、上桁「２」の端上部には、底部に複数取出し止液弁付設の源液槽「４」と、中央部上には、下部面に可動膜か可動板などを穴明被蓋で挟着し、上部面には降液弁付逆止弁を取出し付設し、側下部面には吐液弁と逆止弁が取出し付設した二次側容器「９」をそれぞれ所定位置に載定設し、下桁「３」の端上部には三方自動切替弁「６ａ」の切替動作起動部と、中央部には上部面に可動膜か可動板などを、穴明被蓋で挟着し、側上部面には接続口、底面部には三方自動切替弁「６ａ」の中間口接続付設の一次側容器「６」が、それぞれ所定位置に載定設し、源液槽「４」底部取出し付設の一方の止液弁出口から一次側の加圧管路「５」で一次側容器「６」の底部付設の、三方自動切替弁「６ａ」入口に連結接合し、一次側容器「６」の側上部面の接続口から空気抜を兼ねた、三方自動切替弁「６ａ」の切替動作を調節する、調整弁付の調節管路「６ｂ」を取出し、三方自動切替弁「６ａ」の切替動作の起動部接続口に連結合し、調節管路「６ｂ」の上部から分岐取出しで空気バネが取付けてある。　　三方自動切替弁「６ａ」出口からサイホン流落下液噴射管路「７」を立上げ最上部が源液槽「４」内液位より僅下位置で曲折し、下端が一次側容器「６」の可動膜か、可動板などの位置より僅下位置まで垂設してある。
以上の器機管路の源液槽「４」から「５」「６ａ」「６」「６ｂ」「６ｃ」までを一次側加圧器機管路系統で「Ａ」とし、三方自動切替弁「６ａ」出口からサイホン流落下液噴射管路「７」下端までが一次側排出管路系統で「Ａａ」とする。
源液槽「４」の底部取出し付設の他方の止液弁出口から、二次側容器「９」の側下部取出し付設の逆止弁入口を、二次側加圧管路「８」で連結接合し、二次側容器「９」上部取出し付設の降液弁付逆止弁出口からは、最上部に空気抜口付三方切替弁付設の揚液管路「１０」を最上部が、二次側容器「９」の可動膜か、可動板などの位置から、柱脚「１」の上桁「２」と下桁「３」の上下間隔距離と、同一寸法か、それ以上に立上据設し、最上部の空気抜口付三方切替弁の一方の接続口から、揚液の流落下噴射管路「１１」を下端が、源液槽「４」内液位上の仕事の出来る必要範囲の位置まで垂設固定する。　　他方の接続口からは、源液槽「４」内に流入液量の多くなった時に、「Ａ」の調整弁付調節管路「６ｂ」の調整弁で調節して流入液量の無駄をなくすため、空気抜口付三方切替弁を切替て、非常時揚液流落下噴射する管路「１１ａ」を下端が「Ａａ」のサイホン流落下液噴射管路「７」下端と同等位置まで垂設してある。　　以上の器機管路の源液槽「４」から「８」「９」「１０」「１１」までが二次側揚液流落下噴射、循環器機管路系統で「Ｂ」とする。
「Ａ」の一次側容器「６」の可動膜か、可動板などと「Ｂ」の二次側容器「９」の可動膜か、可動板などとは、液質量より小質量物で形成した、連結棒「１２」で直結接合してあり、一次側「Ａ」と二次側「Ｂ」との境界線で比重差域でもある。　　その連結棒「１２」を「Ｃ」とする。　　以上柱脚「１」上桁「２」下桁「３」とを組み合せ立据設したものに、一次側「Ａ」「Ａａ」と二次側「Ｂ」と、その境界「Ｃ」とを一連の形態構成にしたものに、液柱圧を「Ａ」に流落下作用し「Ａ」と「Ｃ」とで「Ｂ」に揚液流落下噴射作用効果を発し、その作用が完了すると、「Ｂ」の一部と「Ｃ」と「Ａ」の一部の反作用力などで「Ａａ」に排出流落下液噴射作用効果をなす、これが本来の仕事に当たり一度活用した液の落差液柱圧作用で揚液流落下噴射仕事をし、その液は次行程の揚液として循環し、液量の損失は全くなく、一度活用した落差液柱圧作用液は、二度目はサイホン管排出の流落下液噴射仕事に最利用し、揚液流落下噴射液の大部分の増圧と増量が出来るようにした、多容器、多段の構成機構にすれば効率は揚がる。
以上のような器機動作を、「Ａ」の三方自動切替弁「６ａ」で間歇連続で繰返し行う。　　液圧を利用した揚流落下液の増圧増量装置。
【発明の詳細な説明】
【０００１】
【発明の属する分野】
本発明は原動源となる液や、液柱圧が存在し続ける位置を、所定高位置とし、そこから管路で自然流落下や、他の液圧などを加圧し、排液圧する、その管路の下端を所定低位置にして、その同一所定高位置から管路で同一液量や同一液柱圧量などを、同一時間内に、同一所定低位置に、流落下や加圧などして、その液柱圧噴射力や、液柱圧力推進力などで、電力や動力などの発生器機を駆動する事において、従来からの直接流落下噴射駆動方式や直接液圧直線運動推進力駆動方式では、出来えなかった、別途管路内の液を高位置に増圧揚液し、それを流落下噴射しそこで仕事し、その後次行程の揚液として循環するようにした、間歇揚流落下液の全自動増圧増量装置機構である。
所定高位置の源液槽「４」を中段にして、下部に一次側器機管路系統「Ａ」と「Ａａ」。上部に二次側器機管路系統「Ｂ」と二系統にし、「Ａ」と「Ｂ」の接触点境界線を、作用液質量より小質量の、連結棒「１２」の「Ｃ」で直結接合し、「Ａ」「Ａａ」「Ｂ」「Ｃ」のそれぞれの部分で、「Ａ」は源液槽「４」中段から「５」「６ａ」「６」「６ｂ」「６ｃ」を下段とし、「Ａａ」「７」の下端を最下段にし、「Ｂ」は源液槽「４」から「８」「９」「１０」「１１」「１１ａ」で「１０」の上部を上段にして、複数柱脚「１」を、上桁「２」、下桁「３」で、組合せ立据設したものに、それぞれの器機管路部分を所定位置に、配載定設し一連の形態構成にしたものである。
そうしたものの、源液槽「４」内中段から液柱圧や、他の液圧などを、「Ａ」「６」内に加圧作用し、「Ａ」「６」の押上力と「Ｃ」「１２」の比重差浮力の複合押上推進力で「Ｂ」の「９」内の液圧を増圧し、上段に揚液流落下噴射作用動作を発し、源液槽「４」内液位上で仕事をし、中段に着液し次の加圧揚液として循環し、「Ｂ」内では液の損失は一切なく、その液噴射仕事が完了すると、「Ａ」の「６ｂ」から液圧が「６ａ」起動部に充満し「６ａ」の切替動作が瞬時に遂行され、源液槽「４」内中段から「Ｂ」の「９」までの液柱圧と「Ｃ」「１２」の重力と「Ａ」「６ｃ」内の空気の反発力で「Ａ」の「６」「６ａ」「６ｂ」内の液は、「Ａａ」「７」の下端、最下段位置から排出流落下液噴射仕事をする。
その液噴射仕事量は、源液槽「４」内中段から下段までの落差に殆ど等しい。それが完了すると、同時進行で「Ａ」の「６ａ」の起動部内液圧は殆どなくなり、「６ａ」は瞬時に切替られ各部分は始動時形態に復帰し、源液槽「４」内中段から「Ａ」内に液柱圧や、他の液圧などの加圧作用が「Ａ」下段「６」内に始まる。
これを間歇自動に繰返し「Ｂ」に増圧揚液流落下噴射仕事をし、流落下液の増量をする事が出来るものである。
【０００２】
【従来の技術】
従来液力器機駆動の液力利用において、低位置に設置された液力駆動器機に、高位置から管路で直接流落下噴射駆動方式が一般的で最も多い。
一部間歇流落下液撃作用、揚液流落下駆動方式もある。　　いずれの駆動方式も、所定高位置から所定低位置までの、液柱圧力利用駆動方式で、駆動に利用した液は、利用捨てであった。
【０００３】
【発明が解決しようとする課題】
近年地球全体の環境が悪化の一途を進行中で記するに余りあるものである。
地球環境にやさしいエネルギー源が切実に求められている。　　そこで山谷にはダム、河川には堰ではなく、流落差で流れる河川水の地下導水管路を設けたり、下水道管路の流落差水力、上水道配水管路、給水管路内の使用量変化にともなう圧力変動の圧力差力、などなど生活に必要な事で発生する、水など液が持合し起こす現象を本発明に利用ではなく活用する事が出来るようにしたい。
【０００４】
【課題を解決するための手段】
本発明の主旨は、少液量活用で、従来液利用量分の成果を得る事にある。
そこで液の流入や湧出などで、液が存在し続ける位置や、液柱圧が常時ある位置を、所定高位置とし本発明の源液槽「４」であり、活用する他の液流落差ある既設管路であり、それに接続の筒管路である。　　その位置を中段とする。
中段から流落下液柱圧の作用を受ける位置を、所定低位置として下段とする。それが一次側「Ａ」で、下段一次側「Ａ」から「Ａａ」を、中段源液槽「４」内液位僅下位置や、他の液柱圧力の僅下液柱圧力位置などまで上伸設し、折返し下段僅下位置最下段まで垂設し、中段から最下段位置までの落差を、直接流落下液噴射方式と、ほぼ同じにし、流落下液量は同等だから、流落下時間が１：０．５なので最下段位置での噴射効率は少し悪い。　　しかし、所定高位置、中段から別途に二次側「Ｂ」を、所定高位置中段から所定低位置下段までの間隔距離と同等高さ分を、上段まで上伸設揚液しそこから、中段の僅上位置垂設の「Ｂ」「１１」下端での、揚液流落下噴射があり、その液量は損失なく次行程の揚液にと循環する。　　その中段僅上位置で、増圧増量された揚液流落下噴射時間は０．５なので最下段噴射時間と合わせて１：１と同等となり、増圧増量揚液流落下噴射量や増圧落差量は全部とは言えないし、所定低位置下の最下段位置噴射の損失もあるが、二次側「Ｂ」の上段から中段僅上部位置までの、増圧増量揚液流落下噴射量の何％か増圧増量する事は間違いなく出来る。　　「Ｂ」での揚液流落下噴射液の、増圧増量が出来るのは、所定高位置中段から一次側「Ａ」を所定低位置下段に設け、その下段から「Ａａ」を中段僅下位置まで上伸設し折返し、所定低位置最下段、位置まで垂設し、サイホン効果を付設した事と、「Ａ」に空気バネ「６ｃ」を付設し、その効果を高揚した事と、所定高位置中段から別途に二次側「Ｂ」を設け、その「Ｂ」と一次側「Ａ」の境界線の直結棒「１２」の比重差域「Ｃ」を設け、「Ａ」の押上げ浮力を高めた事と、それぞれの部分の機構を一連の形態構成にした事である。
【０００５】
【発明の実施の形態】
一連の形態構成にした、所定高位置中段の源液槽「４」内に、液ある位置から一定速量の源液導入し、加圧作用に必要量液位に達したら、二次側「Ｂ」の加圧管路「８」の止液弁を開弁し、二次側容器「９」内に充満し、次に一次側「Ａ」の加圧管路「５」の止液弁を開弁すると、液は三方自動切替弁「６ａ」一次側容器「６」下段内に流入し可動膜か、可動板などを持上げ、直結接合した連結棒「１２」「Ｃ」で二次側容器「９」の直結接合した、可動膜か、可動板などを持上げ、内部に充満した液を、降液弁付逆止弁を揚がり、空気抜口付三方切替弁付設の揚液管路「１０」上段に達し、揚液流落下噴射管路「１１」下端から、流落下噴射仕事をし、中段源液槽「４」内の液面に着液し、次行程の加圧液となる。同時進行で下段一次側容器「６」内の液は、空気抜を兼ねた、調整弁付の調節管路「６ｂ」から三方自動切替弁「６ａ」の起動部内に流入し、切替調節値に達したら、三方自動切替弁「６ａ」は瞬時に切替られ、中段源液槽「４」内からの加圧液の流入は止まり、それまで圧縮された空気バネ「６ｃ」の反発力と、中段源液槽「４」内から二次側容器「９」の可動膜か、可動板などまでの液柱圧と、連結棒「１２」の重力で、下段一次側容器「６」内の液は、三方自動切替弁「６ａ」出口からサイホン管の排出流落下噴射管路「７」「Ａａ」下端の最下段位置にて排出流落下液噴射仕事をする。同時進行で中段源液槽「４」内から、二次側容器「９」内に加圧液が流入する。　　その噴射仕事が完了すると、三方自動切替弁「６ａ」起動部内の液圧は殆どなくなり、三方自動切替弁「６ａ」は瞬時に始動時形態に切替り、中段源液槽「４」内から加圧液が、下段一次側容器「６」内に流落下加圧される。　　以上の器機動作を間歇に繰返し二次側「Ｂ」に増圧揚液流落下噴射仕事の液の増量をする。　　他の液流差ある既設管路の、液柱圧を活用する場合は、その管路内の動液勾配値によって、所定高位置中段が決まり、一次側「Ａ」下段の容器「６」の位置も、連結棒「１２」「Ｃ」も、二次側「Ｂ」の容器「９」位置も、上段位置も、柱脚「１」も、動液勾配の上値と下値との適切なものにしたものの、一次側「Ａ」の「６ａ」「７」の「Ａａ」は無用で、一次側「Ａ」加圧管路「５」に、液流落差ある既設管路から、管路を取出し分岐し連結合すれば実施出来る。
既設下水液道管路で実施の場合は、その管路途中に本発明を組込編入設置すれば実施出来る。　　設置実施しようとする位置の、上流側から分岐取出しの、バイパス管路を下流側に連結接合し、その管路中間部に溜槽を設置し、実施しない時は下流に流れ、実施中は所定高位置、中段の源液槽「４」として利用実施出来る。　　ただし溜槽の源液槽「４」内から取出しの一次側加圧管路「５」の取出しは横取出しとし、その手前に沈澱槽を設け、汚物、残さ、汚泥などの沈澱物はサイホン管を、下流側最下段下位置まで設け、サイホン排出流落下噴射管路「Ａａ」「７」下端位置に、相当する位置に受液槽を設け、既設管路に接続して双方下流に流し、本来の目的を達成し、本発明の実施が出来る。　　その場合二次側「Ｂ」には別途の源液槽「４」の中段を設け実施する。
【０００６】
【発明の効果】
直接流落下液噴射駆動方式の従来設備での液利用は、一途に限られている。
間歇流落下液噴射駆動方式の本発明実施では、ダムも堰も必要としない。　　必要なのは、大中小河川底に、埋設した流落差ある導液管路や、既設の液流落差ある管筒路があれば、その管筒路の途中に組込編入設置し実施すれば、本来の目的利用途はそのままで、別途管筒路や器機内の液を、増圧し高所に揚液し、その液の流落下噴射力で仕事し、その液は循環するのである。
生活に利用する液や、利用した液を再利用ではなく、再活用するのであり、地下資源を利用して得たエネルギー量に換算すれば大なる環境保全効果があり、現在世の中で使用されているものの殆どが、一量一利一捨一汚である。本発明の実施においては、一量二利一捨で多分野に多用途に利用出来る、その経済効果は大きい、風がなくとも、日が照らなくとも、気温が昇らなくとも、雨が降れば河川に水液は大なり小なり流れる。　　これを溜め置くことは不可能で、それを利活用するので、人類、動植物に利益と恩恵を与えるものである。
【図面の簡単な説明】
【図１】本発明の実験時の形態略図
【図２】二次側容器「９」部上視図
【図３】一次側容器「６」部下視図
【図４】源液槽「４」二次側容器「９」の一部上視図
【図５】一次側容器「６」二次側容器「９」部の正面一部断面図
【図６】三方自動切替弁「６ａ」の加圧時及揚液時の断面図
【図７】三方自動切替弁「６ａ」の排出時断面図
【図８】三方自動切替弁「６ａ」の起動部加圧揚液時の一部断面斜視図
【図９】三方自動切替弁「６ａ」の起動部排出時の一部断面斜視図
【符号の説明】
１　　　柱脚
２　　　上桁
３　　　下桁
４　　　源液槽　　　　　　　　　　　所定高位置中段
2004028075.tif 000003
７　　　サイホン流落下噴射管路　　　「Ａａ」最下段位置
2004028075.tif 000004
１２　　　連結棒　　　　　　　　　　　　　　　「Ｃ」比重差域
【図１】
2004028075.tif 000005
【図２】
2004028075.tif 000006
【図３】
2004028075.tif 000007
【図４】
2004028075.tif 000008
【図５】
2004028075.tif 000009
【図６】
2004028075.tif 000010
【図７】
2004028075.tif 000011
【図８】
2004028075.tif 000012
【図９】
2004028075.tif 000013